(57)【要約】      （修正有）【課題】ユーザの咽喉による音声を直接収集することが可能であり、周囲のノイズによる干渉を減少することが可能な咽喉振動音響ワイヤレス伝送装置を提供する。【解決手段】蓋１１と、可撓性台座１２と、変形固定具１２１と、を備え、蓋１１は、複数のカバー部１１２と、隣接する二つのカバー部１１２を連接する弾性屈折部１１１と、を有し、変形固定具１２１は、解放状態と、挟み状態と、を有する本体１０と、本体１０の一端に設けられている咽喉振動センサー２１と、本体１０の内部に設けられており、咽喉振動センサー１０と電気的に接続している制御回路基板２２と、を備える咽喉振動検知モジュール２０と、本体１０の内部に設けられており、制御回路基板２２と電気的に接続しており、制御回路基板２２によって変換される音声信号を伝送するワイヤレス伝送モジュール３０と、を含む。【選択図】図２
0003192443.tif 000002
【実用新案登録請求の範囲】
【請求項１】
蓋と、前記蓋に結合されている可撓性台座と、前記可撓性台座に沿って設けられている変形固定具と、を備え、前記蓋は、複数のカバー部と、隣接する二つの前記カバー部を連接する弾性屈折部と、を有し、前記変形固定具は、力を受けず屈折していない解放状態と、力を受けて前記変形固定具の両端が中央へ移動して円弧形になる挟み状態と、を有し、前記挟み状態での前記弾性屈折部は、前記可撓性台座及び前記蓋を連動して屈折させ、前記弾性屈折部が両側にある前記カバー部へ延びる本体と、
前記本体の一端に設けられている咽喉振動センサーと、前記本体の内部に設けられており、前記咽喉振動センサーと電気的に接続している制御回路基板と、を備え、前記咽喉振動センサーにより、振動が検知されて電気信号に変換されて、前記制御回路基板により、前記電気信号が接収されて音声信号に変換される咽喉振動検知モジュールと、
前記本体の内部に設けられており、前記制御回路基板と電気的に接続しており、前記制御回路基板によって変換される前記音声信号を伝送するワイヤレス伝送モジュールと、
を含むことを特徴とする咽喉振動音響ワイヤレス伝送装置。
【請求項２】
更に、電池を含み、前記電池は、前記本体の内部に設けられており、前記制御回路基板に電力を供給することを特徴とする、請求項１に記載の咽喉振動音響ワイヤレス伝送装置。
【請求項３】
前記本体の前記咽喉振動センサーから遠ざかった端には、ユニバーサルシリアルバスが設けられており、前記ユニバーサルシリアルバスは前記制御回路基板と電気的に接続しており、前記ユニバーサルシリアルバスにより、外部の電子装置と電気的に接続することが可能であることを特徴とする、請求項１に記載の咽喉振動音響ワイヤレス伝送装置。
【請求項４】
前記本体は音源出力穴を有し、前記音源出力穴は、前記制御回路基板と電気的に接続しており、前記音声信号を取得することが可能であることを特徴とする、請求項１に記載の咽喉振動音響ワイヤレス伝送装置。
【請求項５】
前記本体にヘッドセットが少なくとも一つ収容されており、前記ヘッドセットは前記制御回路基板と電気的に接続していることを特徴とする、請求項１に記載の咽喉振動音響ワイヤレス伝送装置。
【請求項６】
前記本体に発光ダイオードが少なくとも一つ設けられており、前記発光ダイオードは、前記制御回路基板と電気的に接続しており、警告するための光線及び照明のための光線を射出することが可能であることを特徴とする、請求項１に記載の咽喉振動音響ワイヤレス伝送装置。
【請求項７】
前記制御回路基板は、前記音声信号をセーブするメモリユニットを含むことを特徴とする、請求項１に記載の咽喉振動音響ワイヤレス伝送装置。
【請求項８】
前記制御回路基板はフレキシブルプリント回路基板であることを特徴とする、請求項１に記載の咽喉振動音響ワイヤレス伝送装置。
【考案の詳細な説明】
【技術分野】
【０００１】
本考案は、咽喉振動式マイクロフォンに関し、特に、咽喉振動音響ワイヤレス伝送装置に関するものである。
【背景技術】
【０００２】
スマートフォンなどの電子製品が流行し、仕事や運動の場面においてこれらを利用するために、各種類のマイクロフォンが開発され市販されている。例えば自動車を運転しているとき、又は二輪車に乗っているときには、イヤーフック型のマイクロフォンを利用することが一般的である。イヤーフック型のマイクロフォンは、コンデンサー式の音声収集方式を採用するため、空気を媒介として音声を収集するが、周囲のノイズも収集される。このように、音声を収集する効果は良くなく、収集された音声は明確ではない。
【０００３】
上記の問題を解決するために、特許文献１の台湾特許第４５８４７９号の「携帯電話用咽喉音声制御圧電式マイクロフォン」が提案された。このような携帯電話用咽喉音声制御圧電式マイクロフォンは、圧電式マイクロフォンと、金属製弾性ネック枠と、ヘッドセットと、を含む。前記圧電式マイクロフォンは、前記金属製弾性ネック枠の一端に組み付けられており、ケーブルを介して前記ヘッドセットと電気的に接続する。前記圧電式マイクロフォンと前記ヘッドセットは、連接ケーブルにより適当な長さに延びて、前記金属製弾性ネック枠をユーザの首に挟んで、前記圧電式マイクロフォンはユーザの喉仏に貼り付ける。ユーザが話しているときには、咽喉が振動して皮膚が共振し、圧電方式により当該共振が電気信号に変換される。このように、周囲のノイズが前記圧電式マイクロフォンに収集されることはない。
【０００４】
しかしながら、上記の携帯電話用咽喉音声制御圧電式マイクロフォンは、有線であるため、その利用が連接ケーブルに制限され、そして連接ケーブルの長さを適当な長さに短縮するために、連接ケーブル巻き装置に連接ケーブルを巻き付けることが必要である。このように、上記の携帯電話用咽喉音声制御圧電式マイクロフォンの利用は極めて面倒である。
【先行技術文献】
【特許文献】
【０００５】
【特許文献１】台湾特許第４５８４７９号公報
【考案の概要】
【考案が解決しようとする課題】
【０００６】
本考案の主な目的は、ユーザの首の太さによって、首に緊密に当接することが可能なため、ユーザの咽喉による音声を直接収集することが可能であり、周囲のノイズによる干渉を減少することが可能な咽喉振動音響ワイヤレス伝送装置を提供する。
【課題を解決するための手段】
【０００７】
本考案の咽喉振動音響ワイヤレス伝送装置によると、蓋と、蓋に結合されている可撓性台座と、可撓性台座に沿って設けられている変形固定具と、を備え、蓋は、複数のカバー部と、隣接する二つのカバー部を連接する弾性屈折部と、を有し、変形固定具は、力を受けず屈折していない解放状態と、力を受けて変形固定具の両端が中央へ移動して円弧形になる挟み状態と、を有し、挟み状態において弾性屈折部は、可撓性台座及び蓋を連動して屈折させ、弾性屈折部が両側にあるカバー部へ延びる本体と、本体の一端に設けられている咽喉振動センサーと、本体の内部に設けられており、咽喉振動センサーと電気的に接続している制御回路基板と、を備え、咽喉振動センサーにより、振動が検知されて電気信号に変換されて、制御回路基板により、電気信号が接収されて音声信号に変換される咽喉振動検知モジュールと、本体の内部に設けられており、制御回路基板と電気的に接続しており、制御回路基板によって変換される音声信号を伝送するワイヤレス伝送モジュールと、を含むことを特徴とする。
【０００８】
本考案の咽喉振動音響ワイヤレス伝送装置によると、更に、電池を含み、電池は、本体の内部に設けられており、制御回路基板に電力を供給することを特徴とする。
【０００９】
本考案の咽喉振動音響ワイヤレス伝送装置によると、本体の咽喉振動センサーから遠ざかった端には、ユニバーサルシリアルバスが設けられており、ユニバーサルシリアルバスは制御回路基板と電気的に接続しており、ユニバーサルシリアルバスにより、外部の電子装置と電気的に接続することが可能であることを特徴とする。
【００１０】
本考案の咽喉振動音響ワイヤレス伝送装置によると、本体は音源出力穴を有し、音源出力穴は、制御回路基板と電気的に接続しており、音声信号を取得することが可能であることを特徴とする。
【００１１】
本考案の咽喉振動音響ワイヤレス伝送装置によると、本体にヘッドセットが少なくとも一つ収容されており、ヘッドセットは制御回路基板と電気的に接続していることを特徴とする。
【００１２】
本考案の咽喉振動音響ワイヤレス伝送装置によると、本体に発光ダイオードが少なくとも一つ設けられており、発光ダイオードは、制御回路基板と電気的に接続しており、警告するための光線及び照明のための光線を射出することが可能であることを特徴とする。
【００１３】
本考案の咽喉振動音響ワイヤレス伝送装置によると、制御回路基板は、音声信号をセーブするメモリユニットを含むことを特徴とする。
【００１４】
本考案の咽喉振動音響ワイヤレス伝送装置によると、制御回路基板はフレキシブルプリント回路基板であることを特徴とする。
【考案の効果】
【００１５】
本考案の咽喉振動音響ワイヤレス伝送装置によれば、ユーザの首の太さによって、首に緊密に貼り付けることにより、ユーザの咽喉による音声を直接収集することが可能であり、周囲のノイズによる干渉を減少することが可能であるという効果を有する。
【図面の簡単な説明】
【００１６】
【図１】本考案の実施例１を示す斜視図である。
【図２】本考案の実施例１を示す分解斜視図である。
【図３】本考案の実施例１の使用状態を示す図である。
【図４】本考案の実施例２を示す斜視図である。
【図５】本考案の実施例３を示す斜視図である。
【考案を実施するための形態】
【００１７】
以下、本考案の実施の形態を図面に基づいて説明する。
【００１８】
（実施例１）
図１から図３を参照する。図１は本考案の実施例１を示す斜視図であり、図２は本考案の実施例１を示す分解斜視図であり、図３は本考案の実施例１の使用状態を示す図である。本実施例の咽喉振動音響ワイヤレス伝送装置は、本体１０と、咽喉振動検知モジュール２０と、ワイヤレス伝送モジュール３０（例えばブルートゥース（登録商標））と、電池４０と、を含む。本体１０は、蓋１１と、蓋１１に結合されている可撓性台座１２と、を含む。蓋１１は、複数のカバー部１１２と、少なくとも一つの弾性屈折部１１１と、を有する。弾性屈折部１１１は、隣接する二つのカバー部１１２を連接し、例えばゴムなどの可撓性の材料を採用する。可撓性台座１２に沿って、変形固定具１２１と、貫通孔１２２と、が設けられている。変形固定具１２１は、例えばシリコーンなどの可撓性の材料を採用する。変形固定具１２１は、外部からの力を受けず屈折しない解放状態と、力を受けて変形固定具１２１の両端が中央へ移動して円弧形になる挟み状態と、を有する。前記挟み状態において弾性屈折部１１１は、可撓性台座１２及び蓋１１を連動して屈折して、弾性屈折部１１１が両側にあるカバー部１１２へ延びる。
【００１９】
咽喉振動検知モジュール２０は、本体１０の内部に設けられており、咽喉振動センサー２１と、制御回路基板２２と、を含む。咽喉振動センサー２１は、本体１０の一端に設けられており、可撓性台座１２の貫通孔１２２により露出してユーザの喉仏に緊密に当接する。制御回路基板２２は、本体１０の内部に設けられており、咽喉振動センサー２１と電気的に接続する。咽喉振動センサー２１により、ユーザの音声による振動が電気信号に変換されて、制御回路基板２２により、前記電気信号が接収されて音声信号に変換される。制御回路基板２２は、フレキシブルプリント回路基板であり、例えば音楽や音声などの音声情報をセーブするためのメモリユニット２２１を含む。ワイヤレス伝送モジュール３０は、本体１０の内部に設けられており、制御回路基板２２と電気的に接続しており、制御回路基板２２によって変換する音声信号を伝送する。一方、本体１０は音源出力穴１３を有する。音源出力穴１３は、制御回路基板２２と電気的に接続しており、前記音声信号を取得することが可能であり、ヘッドセット（図示せず）と電気的に接続することが可能である。本体１０の咽喉振動センサー２１から遠ざかった端には、ユニバーサルシリアルバス（Ｕｎｉｖｅｒｓａｌ  Ｓｅｒｉａｌ  Ｂｕｓ，ＵＳＢ）５０が設けられている。ユニバーサルシリアルバス５０は制御回路基板２２と電気的に接続している。ユニバーサルシリアルバス５０により、外部の電子装置（図示せず）と電気的に接続することが可能である。また、外部の電子装置により、情報をセーブし、又は充電することが可能である。
【００２０】
本実施例では、蓋１１と可撓性台座１２が係合方式によって結合するため、必要によって蓋１１を交換することが可能である。蓋１１の弾性屈折部１１１と可撓性台座１２の変形固定具１２１は、可撓性の材料を採用する。変形固定具１２１は、解放状態と、挟み状態と、を有する。変形固定具１２１が力を受けていないため、屈折していない状態を解放状態と称する。変形固定具１２１が力を受けて変形固定具１２１の両端が中央へ移動して円弧形になる状態を挟み状態と称する。前記挟み状態での弾性屈折部１１１は、可撓性台座１２及び蓋１１を連動して屈折して、図３に示すように、弾性屈折部１１１が両側にあるカバー部１１２へ延びる。このように、ユーザの首の太さによって、本体１０を首に緊密に当接して、ユーザの喉仏に咽喉振動センサー２１を直接に当接することが可能である。これにより、咽喉振動センサー２１により、ユーザの音声による振動が検知されて電気信号に変換されて、制御回路基板２２により、前記電気信号が接収されて音声信号に変換されて、ワイヤレス伝送モジュール３０により、前記音声信号が携帯式の電子装置（図示せず）（例えば携帯電話）に伝送される。すなわち、ユーザの咽喉による音声を直接に収集することが可能であり、周囲のノイズによる干渉を減少することが可能であり、そしてワイヤレス伝送方式を採用するため、連接ケーブルによる悩みを解消することが可能であり、利用の便利性を大幅に増加することが可能である。
【００２１】
制御回路基板２２は、例えば音楽や音声などの音声情報をセーブするためのメモリユニット２２１を含む。本体１０の音源出力穴１３にヘッドセット（図示せず）のプラグを挿入して、本実施例の咽喉振動音響ワイヤレス伝送装置をＭＰ３プレーヤーとすることが可能である。一方、本体１０の咽喉振動センサー２１から遠ざかった端には、ユニバーサルシリアルバス５０が設けられている。ユニバーサルシリアルバス５０により、本実施例の咽喉振動音響ワイヤレス伝送装置は、外部の電子装置（図示せず）（例えばパーソナルコンピューター）と電気的に接続することが可能である。このように、前記音声情報を前記電子装置に伝送し、その他の情報をメモリユニット２２１にセーブし、又は電池４０を充電することが可能である。
【００２２】
（実施例２）
図４を参照する。図４は本考案の実施例２を示す斜視図である。本実施例の咽喉振動音響ワイヤレス伝送装置は、実施例１とほぼ同じであるが、実施例１と相違する点は、本体１０にヘッドセット１４が少なくとも一つ設けられており、ヘッドセット１４は制御回路基板２２と電気的に接続していることにある。ヘッドセット１４により、音声（例えば音楽）を聞くことが可能である。例えばリールなどの収納道具（図示せず）により、ヘッドセット１４の連接ケーブルを本体１０内に収容することが可能である。もちろん、本考案のヘッドセット１４の数量及び実施の形態は、これらに限定されない。
【００２３】
（実施例３）
図５を参照する。図５は本考案の実施例３を示す斜視図である。本実施例の咽喉振動音響ワイヤレス伝送装置は、実施例１とほぼ同じであるが、実施例１と相違する点は、本体１０に発光ダイオード（Ｌｉｇｈｔ  Ｅｍｉｔｔｉｎｇ  Ｄｉｏｄｅ，ＬＥＤ）１５が少なくとも一つ設けられていることにある。発光ダイオード１５は、制御回路基板２２と電気的に接続しており、制御回路基板２２に制御されて、警告するための光線（例えば電池充電警告ランプ、又は信号伝送警告ランプとし）及び照明のための光線を射出することが可能である。もちろん、本考案の発光ダイオード１５の数量及び実施の形態は、これらに限定されない。
【００２４】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２５】
本考案は、ワイヤレス伝送装置に適用することができる。
【符号の説明】
【００２６】
１０  本体
１１  蓋
１２  可撓性台座
１３  音源出力穴
１４  ヘッドセット
１５  発光ダイオード
２０  咽喉振動検知モジュール
２１  咽喉振動センサー
２２  制御回路基板
３０  ワイヤレス伝送モジュール
４０  電池
５０  ユニバーサルシリアルバス
１１１  弾性屈折部
１１２  カバー部
１２１  変形固定具
１２２  貫通孔
２２１  メモリユニット
【図１】
0003192443.tif 000003
【図２】
0003192443.tif 000004
【図３】
0003192443.tif 000005
【図４】
0003192443.tif 000006
【図５】
0003192443.tif 000007